(57)【特許請求の範囲】
【請求項１】
金属板製で横断面略逆Ｌ状の水平部（１５）に凹状嵌合部（１６）を折曲形成した固定部材（Ａ）と、前記凹状嵌合部（１６）に嵌合する金属板製で横断面略逆Ｌ状の水平部（１７）を折曲形成した外装材の上端部の表面押え部材（Ｂ）とよりなり、
前記固定部材（Ａ）の水平部（１５）に折曲形成した凹状嵌合部（１６）は、帯状の金属板（１８）の上端部を内方に所要長さ折曲して係止段部（１９）を形成し、この係止段部（１９）より所要長幅方向に延びた第１の基端部（２０）から水平部（１５）の先端部（１５ａ）方向へ折曲し、さらに、この先端部（１５ａ）から水平部（１５）の第２の基端部（２０ａ）方向へ折曲し、この第２の基端部（２０ａ）から垂直下方向に折曲形成され、
前記凹状嵌合部（１６）に嵌合する外装材の上端部の表面押え部材（Ｂ）の水平部（１７）は、その先端部を所要長さ折曲して前記凹状嵌合部（１６）に形成した係止段部（１９）に係合する引っ掛部（２１）が折曲形成されたことを特徴とする建築用の笠木。
【請求項２】
金属板製で横断面略Ｌ状の水平部（１５’）に凹状嵌合部（１６’）を折曲形成した外装材の下端当接部材Ａ’と、前記凹状嵌合部（１６’）に嵌合する金属板製で横断面略逆Ｌ状の水平部（１７’）を折曲形成した外装材の上端部の表面押え部材Ｂ’とよりなり、
前記外装材の下端当接部材Ａ’の水平部（１５’）に折曲形成した凹状嵌合部（１６’）は、帯状の金属板（１８’）の下端部を内方に所要長さ折曲して係止段部（１９’）を形成し、この係止段部（１９’）より所要長幅方向に延びた第１の基端部（２０’）から水平部（１５’）の先端部（１５ａ’）方向へ折曲し、この先端部（１５ａ’）から水平部（１５’）の第２の基端部（２０ｂ）方向へ折曲し、この第２の基端部（２０ｂ）から垂直上方向に折曲形成され、前記凹状嵌合部（１６’）に嵌合する外装材の上端部の表面押え部材（Ｂ’）の水平部（１７’）は、その先端部を所要長さ折曲して前記凹状嵌合部（１６’）に形成した係止段部（１９’）に係合する引っ掛部（２１’）が折曲形成されたことを特徴とする建築用の水切。
【請求項３】
合成樹脂板製で横断面略逆Ｌ状の水平部（１５）に凹状嵌合部（１６）を折曲形成した固定部材（Ａ）と、前記凹状嵌合部（１６）に嵌合する合成樹脂板製で横断面略逆Ｌ状の水平部（１７）を折曲形成した外装材上端部の表面押え部材（Ｂ）とよりなり、
前記固定部材（Ａ）の水平部（１５）に折曲形成した凹状嵌合部（１６）は、帯状の合成樹脂板（１８）の上端部を内方に所要長さ折曲して係止段部（１９）を形成し、この係止段部（１９）より所要長幅方向に延びた第１の基端部（２０）から水平部（１５）の先端部（１５ａ）方向へ折曲し、さらに、この先端部（１５ａ）から水平部（１５）の第２の基端部（２０ａ）方向へ折曲し、この第２の基端部（２０ａ）から垂直下方向に折曲形成され、
前記凹状嵌合部（１６）に嵌合する外装材の上端部の表面押え部材（Ｂ）の水平部（１７）は、その先端部を所要長さ折曲して前記凹状嵌合部（１６）に形成した係止段部（１９）に係合する引っ掛部（２１）が折曲形成されたことを特徴とする建築用の笠木。
【請求項４】
合成樹脂板製で横断面略Ｌ状の水平部（１５’）に凹状嵌合部（１６’）を折曲形成した外装材の下端当接部材Ａ’と、前記凹状嵌合部（１６’）に嵌合する合成樹脂板製で横断面略逆Ｌ状水平部（１７’）を折曲形成した外装材の上端部の表面押え部材Ｂ’とよりなり、
前記外装材の下端当接部材Ａ’の水平部（１５’）に折曲形成した凹状嵌合部（１６’）は、帯状の合成樹脂板（１８’）の下端部を内方に所要長さ折曲して係止段部（１９’）を形成し、この係止段部（１９’）より所要長幅方向に延びた第１の基端部（２０’）から水平部（１５’）の先端部（１５ａ’）方向へ折曲し、この先端部（１５ａ’）から水平部（１５’）の第２の基端部（２０ｂ）方向へ折曲し、この第２の基端部（２０ｂ）から垂直上方向に折曲形成され、前記凹状嵌合部（１６’）に嵌合する外装材の上端部の表面押え部材（Ｂ’）の水平部（１７’）は、その先端部を所要長さ折曲して前記凹状嵌合部（１６’）に形成した係止段部（１９’）に係合する引っ掛部（２１’）が折曲形成されたことを特徴とする建築用の水切。
【発明の詳細な説明】
【０００１】
【発明の属する技術分野】
この発明は、建築物の外装材（サイディング）の上端部を嵌合して、軒桁、胴縁、間柱等壁下地の所要箇所に、外装材を取り付けることができるようにした建築用の笠木と、建築物の上方の外装材と下方の外装材との連結部に設ける水切の改良に関するものである。
【０００２】
【従来の技術】
従来の建築用の笠木としては、図４乃至図６に示すようなものがあった。図４はその縦断面図で、図５は一部切欠いた分解斜視図で、図６は使用状態の一例を示す断面図であり、１は建築用の笠木を構成する取付部材であって、合成樹脂や金属（アルミニウム）の引き抜き形成手段等で形成され、その表面上端部に所要間隔をあけて所要突出長さの一対の突出部２、２を長手方向に形成し、この突出部２、２の各内壁面に歯状係止部３、３が形成されている。２ａは前記突出部２、２のうち下側の突出部２の先端部に垂直に形成した外装材の背面受部であって、所要幅の板状に形成されている。
【０００３】
４は建築用の笠木を構成する外装材の表面押え部材であって、合成樹脂や金属（アルミニウム）の引き抜き形成手段等で形成され、前記取付部材１との対向面側の上端部には、前記取付部材１の突出部２、２内に嵌入可能な所要突出長さからなる一対の鉤状係止部５、５付の突出部６、６と、前記取付部材１の突出部２、２に外装材の表面押え部材の突出部６、６を嵌合した際に前記突出部２、２の上面を覆う雨水浸入防止用庇部７が形成されている。
なお、前記外装材の表面押え部材４の下端部８は、前記取付部材１側に向かって少し折り曲げられ、外装材９の前面を弾力性をもって押圧するようにしてもよく、また、前記外装材の表面押え部材４の突出部６、６の先端側をやや拡開して弾性を付与し、この突出部６、６の係合を緊密にすることも可能である。
【０００４】
前記のようにした建築用の笠木を構成する取付部材１を、図６に示すように、軒桁１１の前面に釘等で取り付け、外装材９の上端部１０を外装材の背面受部２ａの前面に当接して外装材９を取り付け、この外装材９の上端部１０の前面側から建築用の笠木を構成する外装材の表面押え部材４の突出部６、６を、前記取付部材１の突出部２、２内に嵌入して、この表面押え部材４によって外装材９の上端部１０を押え付ける。なお、１２は垂木である。
【０００５】
【発明が解決しようとする課題】
ところが、前記従来の建築用の笠木は、軒桁１１等に取り付ける取付部材１の表面上端部に、所要間隔をあけて所要突出長さの一対の突出部２、２を合成樹脂や金属（アルミニウム）の引き抜き形成手段等で形成し、また、外装材の表面押え部材４の前記取付部材１との対向面側の上端部に、突出部２、２内に嵌入可能な所要突出長さからなる一対の鉤状係止部５、５付の突出部６、６を合成樹脂や金属（アルミニウム）の引き抜き形成手段等で形成しているので、製造コストが高くなり、また、前記建築用の笠木を構成する取付部材１と外装材の表面押え部材４との係合部が厚くなるので、建築用の笠木全体の高さ方向に寸法が大きくなり、この建築用の笠木を取り付ける軒桁１１等の取り付け部の寸法が大きくしなければならなかった。
この発明は、前記従来のような課題を解決した、金属板製または合成樹脂板製で横断面略逆Ｌ状の水平部に凹状嵌合部を折曲形成した固定部材と、前記凹状嵌合部に嵌合する金属板製または合成樹脂板製で横断面略逆Ｌ状の水平部を折曲形成した外装材の上端部の表面押え部材とにより構成した建築用の笠木を提供することを目的としたものである。
また、金属板製または合成樹脂板製で横断面略逆Ｌ状の水平部に凹状嵌合部を折曲形成した外装材の下端当接部材と、前記凹状嵌合部に嵌合する金属板製または合成樹脂板製で横断面略逆Ｌ状の水平部を折曲形成した外装材の上端部の表面押え部材とより構成した建築用の水切を提供することを目的としたものである。
【０００６】
【課題を解決するための手段】
この発明は、前記目的を達成するために、金属板製または合成樹脂板製で横断面略逆Ｌ状の水平部１５に凹状嵌合部１６を折曲形成した固定部材Ａと、前記凹状嵌合部１６に嵌合する金属板製または合成樹脂板製で横断面略逆Ｌ状の水平部１７を折曲形成した外装材の上端部の表面押え部材Ｂとよりなり、前記固定部材Ａの水平部１５に折曲形成した凹状嵌合部１６は、帯状の金属板または合成樹脂板１８の上端部を内方に所要長さ折曲して係止段部１９を形成し、この係止段部１９より所要長幅方向に延びた第１の基端部２０から水平部１５の先端部１５ａ方向へ折曲し、さらに、この先端部１５ａから水平部１５の第２の基端部２０ａ方向へ折曲し、この第２の基端部２０ａから垂直下方向に折曲形成され、前記凹状嵌合部１６に嵌合する外装材の上端部の表面押え部材Ｂの水平部１７は、その先端部を所要長さ折曲して前記凹状嵌合部１６に形成した係止段部１９に係合する引っ掛部２１が折曲形成されたことを特徴とする建築用の笠木としたものである。
【０００７】
この建築用の笠木は、以上のように構成されているので、この建築用の笠木を構成する固定部材Ａを軒桁等に釘等で固定し、この固定部材Ａの横断面略逆Ｌ状の水平部１５の凹状嵌合部１６の下面に外装材の上端部を当接して取り付けた後に、建築用の笠木を構成する外装材の上端部の表面押え部材Ｂの水平部１７を、前記固定部材Ａの水平部１５の凹状嵌合部１６に差し込むと、前記外装材の上端部の表面押え部材Ｂの水平部１７の先端部の引っ掛部２１が、前記固定部材Ａの水平部１５の凹状嵌合部１６に形成した係止段部１９に係合して抜け取れないように嵌合して、外装材の上端部を押さえ付けることができる。
【０００８】
また、金属板製または合成樹脂板製で横断面略逆Ｌ状の水平部１５’に凹状嵌合部１６’を折曲形成した外装材の下端当接部材Ａ’と、前記凹状嵌合部１６’に嵌合する金属板製または合成樹脂板製で横断面略逆Ｌ状の水平部１７’を折曲形成した外装材の上端部の表面押え部材Ｂとよりなり、前記外装材の下端当接部材Ａ’の水平部１５’に折曲形成した凹状嵌合部１６’は、帯状の金属板または合成樹脂板１８’の下端部を内方に所要長さ折曲して係止段部１９’を形成し、この係止段部１９’より所要長幅方向に延びた第１の基端部２０’から水平部１５’の先端部１５ａ’方向へ折曲し、さらに、この先端部１５ａ’から水平部１５’の第２の基端部２０ｂ方向へ折曲し、この第２の基端部２０ｂから垂直方向に折曲形成され、前記凹状嵌合部１６’に嵌合する外装材の上端部の表面押え部材Ｂ’の水平部１７’は、その先端部を所要長さ折曲して前記凹状嵌合部１６’に形成した係止段部１９’に係合する引っ掛部２１’が折曲形成されたことを特徴とする建築用の水切としたものである。
【０００９】
また、この建築用の笠木は、以上のように構成されているので、この建築用の水切を構成する外装材の下端当接部材Ａ’を外壁等に釘等で固定し、この外装材の下端当接部材Ａ’の横断面略Ｌ状の水平部１５’の上に外装材の下端を当接し、前記横断面略Ｌ状の水平部１５’の下に外装材の上端を当接した後に、建築用の水切を構成する外装材の上端部の表面押え部材Ｂの水平部１７’を、前記外装材の下端当接部材Ａ’の水平部１５’の凹状嵌合部１６’に差し込むと、前記外装材の上端部の表面押え部材Ｂ’の水平部１７’の先端部の引っ掛部２１’が、前記外装材の下端当接部材Ａ’の水平部１５’の凹状嵌合部１６’の係止段部１９’に係合して抜け取れないように嵌合して、外装材の上端部を押さえ付けることができる。
【００１０】
【実施の形態】
以下、この発明の建築用の笠木の実施の形態について詳細に説明する。
図１はこの発明の建築用の笠木の一部を示す斜視図であり、Ａはこの建築用の笠木を構成する軒桁等に釘等で固定する固定部材で、金属板製（防錆処理を施した鉄板）または塩化ビニール樹脂、ＡＢＳ樹脂等の合成樹脂板製で横断面略逆Ｌ状の水平部１５に形成した凹状嵌合部１６は、帯状の金属板または合成樹脂板１８の上端部を内方に所要長さ折曲して係止段部１９を形成し、この係止段部１９より所要長幅方向に延びた第１の基端部２０から、水平部１５の先端部１５ａ方向へ折曲し、さらに、この先端部１５ａから水平部１５の第２の基端部２０’方向へ折曲し、この第２の基端部２０’から垂直方向に折曲形成されている。
【００１１】
符号Ｂはこの建築用の笠木を構成する前記固定部材Ａと嵌合する外装材の表面押え部材であり、金属板製（防錆処理を施した鉄板）または塩化ビニール樹脂、ＡＢＳ樹脂等の合成樹脂板製で横断面略逆Ｌ状の水平部１７は、その先端部を外方に所要長さ折曲して前記固定部材Ａの凹状嵌合部１６に形成した係止段部１９に係合する引っ掛部２１が形成されている。
なお、前記外装材の表面押え部材Ｂの下端部２２は、前記建築用の笠木を構成する固定部材Ａ側に向かって少し折り曲げられ、外装材の前面を弾力性をもって押圧するようにしてある。
【００１２】
前記のように構成した建築用の笠木の使用例を説明すると、先ず、この建築用の笠木を構成する固定部材Ａを軒桁や外壁の上方部等に釘等で固定し、この固定部材Ａの横断面略逆Ｌ状の水平部１５の凹状嵌合部１６の下面に外装材の上端部を当接して取り付ける。
【００１３】
次に、この建築用の笠木を構成する外装材の表面押え部材Ｂの水平部１７を、前記固定部材Ａの水平部１５の凹状嵌合部１６に差し込むと、前記外装材の表面押え部材Ｂの水平部１７の先端部の引っ掛部２１が、前記固定部材Ａの水平部１５の凹状嵌合部１６の係止段部１９に係合して抜け取れないように嵌合し、外装材の上端部を押さえ付けることができる。
【００１４】
次に、この発明の建築用の水切の実施の形態について詳細に説明する。
図２はこの発明の建築用の水切の一部を示す斜視図で、図３はこの発明の建築用の水切の使用例を示す図であり、Ａ’はこの建築用の水切を構成する外装材の下端当接部材で、金属板製（防錆処理を施した鉄板）または塩化ビニール樹脂、ＡＢＳ樹脂等の合成樹脂板製で横断面略Ｌ状の水平部１５’に形成した凹状嵌合部１６’は、帯状の金属板または合成樹脂板１８’の下端部を内方に所要長さ折曲して係止段部１９’を形成し、この係止段部１９’より所要長幅方向に延びた第１の基端部２０’から水平部１５’の先端部１５ａ’方向へ折曲し、さらに、この先端部１５ａ’から水平部１５’の第２の基端部２０ｂ方向へ折曲し、この第２の基端部２０ｂから垂直上方向に折曲形成されている。
【００１５】
符号Ｂ’はこの建築用の水切を構成する前記外装材の下端当接部材Ａ’と嵌合する外装材の上端部の表面押え部材であり、金属板製（防錆処理を施した鉄板）または塩化ビニール樹脂、ＡＢＳ樹脂等の合成樹脂板製で、横断面略逆Ｌ状の水平部１７’は、その先端部を所要長さ折曲して前記凹状嵌合部１６’に形成した係止段部１９’に係合する引っ掛部２１’が折曲形成されている。
なお、前記外装材の上端部の表面押え部材Ｂ’の下端部２２’は、外装材の上端部の表面側に向かって少し折り曲げられ、外装材の表面を弾力性をもって押圧するようにしてある。
【００１６】
前記のように構成したこの発明の建築用の水切の使用例を説明すると、先ず、この建築用の水切を構成する外装材の下端当接部材Ａ’を、図３に示すように、外壁２３に釘２４等で固定し、この外装材の下端当接部材Ａ’の横断面略Ｌ状の水平部１５’の上に外装材２５の下端２５ａを当接し、前記横断面略Ｌ状の水平部１５’の下に他の外装材２６の上端２６ａを当接した後に、建築用の水切を構成する外装材の上端部の表面押え部材Ｂ’の水平部１７’を、前記外装材の下端当接部材Ａ’の水平部１５’の凹状嵌合部１６’に差し込むと、前記外装材の上端部の表面押え部材Ｂ’の水平部１７’の先端部の引っ掛部２１’が、前記外装材の下端当接部材Ａ’の水平部１５’の凹状嵌合部１６’の係止段部１９’に係合して抜け取れないように嵌合して、外装材２６の上端部を押さえ付けて保持され、上方の外装材２５と下方の外装材２６との連結部の水切が行われる。
【００１７】
なお、前記建築用の、水切を構成する外装材の下端当接部材Ａ’と笠木を構成する固定部材Ａ、および水切を構成する外装材の上端部の表面押え部材Ｂ’と笠木を構成する外装材の上端部の表面押え部材Ｂはロール成型、押出成型その他如何なる成型手段にするものでもよく、また前記各部材は同一形状をしているので、これらの部材は、組合わせを変えることによって、笠木としても、また、水切としても使用することができる。
また、この発明は、この実施の形態に限定されるものではなく、特許請求の範囲に記載したこの発明の要旨を逸脱しない範囲においてその実施の形態を変形するように設計変更することは可能である。
【００１８】
【発明の効果】
この発明の笠木は、以上説明したように、金属板製または合成樹脂板製で横断面略逆Ｌ状の水平部に凹状嵌合を折曲形成した固定部材と、前記凹状嵌合部に嵌合する金属板製または合成樹脂板製で横断面略逆Ｌ状の水平部を折曲形成した外装材の表面押え部材とよりなり、前記固定部材の水平部に折曲形成した凹状嵌合部は、帯状の金属板  または合成樹脂板の上端部を内方に所要長さ折曲して係止段部を形成し、この係止段部より所要長幅方向に延びた第１の基端部から水平部の先端部方向へ折曲し、さらに、この先端部から水平部の第２の基端部方向へ折曲し、この第２の基端部から垂直下方向に折曲形成され、前記凹状嵌合部に嵌合する外装材の表面押え部材の水平部は、その先端部を外方に所要長さ折曲して前記凹状嵌合部に形成した係止段部に係合する引っ掛部が折曲形成されたことを特徴とする建築用の笠木としたので、製造コストが安くなり、また、前記建築用の笠木を構成する、固定部材の水平部に形成した凹状嵌合部と、外装材の表面押え部材の水平部の引っ掛部との係合部が薄く形成できるので、建築用の笠木全体の高さ方向の寸法が小さくなり、この建築用の笠木を取り付ける軒桁等の取り付け部の寸法が小さくてもよく、また、前記建築用の笠木を構成する固定部材と外装材の表面押え部材との係合部が薄くても、強度も十分強くすることができる等の利点がある。
【００１９】
また、この発明の水切は、以上説明したように、金属板製または合成樹脂板製で横断面略Ｌ状の水平部に凹状嵌合部を折曲した外装材の下端当接部材と、前記凹状嵌合部に嵌合する金属板製または合成樹脂板製で横断面略逆Ｌ状の水平部を折曲形成した外装材の上端部の表面押え部材とよりなり、前記外装材の下端当接部材の水平部に折曲形成した凹状嵌合部は、帯状の金属板  または合成樹脂板の下端部を内方に所要長さ折曲して係止段部を形成し、この係止段部より所要長幅方向に延びた第１の基端部から水平部の先端部方向へ折曲し、さらに、この先端部から水平部の第２の基端部方向へ折曲し、この第２の基端部から垂直上方向に折曲形成され、前記凹状嵌合部に嵌合する外装材の上端部の表面押え部材の水平部は、その先端部を所要長さ折曲して前記凹状嵌合部に形成した係止段部に係合する引っ掛部が折曲形成されたことを特徴とする建築用の水切としたので、この水切を構成する各部材は、前記笠木を構成する各部材と同一形状をしているので、各部材の組み合わせ方によって、笠木としても、また、水切としても使用することができる利点がある。
【図面の簡単な説明】
【図１】この発明の建築用の笠木の一部を示す分解斜視図である。
【図２】この発明の建築用の水切の一部を示す分解斜視図である。
【図３】この発明の建築用の水切の使用例を示す図である。
【図４】従来の建築用の笠木の縦断面図である。
【図５】従来の建築用の笠木の一部切欠いた分解斜視図である。
【図６】従来の建築用の笠木の使用状態の一例を示す断面図である。
【符号の説明】
１      取付部材
２      突出部
２ａ      外装材の背面受部
３      歯状係止部
４      外装材の表面押え部材
５      一対の鉤状係止部
６      突出部
７      雨水浸入防止用庇部
８      外装材の表面押え部材の下端部
９      外装材
１０      外装材の上端部
１１      軒桁
１２      垂木
１５      横断面略逆Ｌ状の水平部
１５’    横断面略Ｌ状の水平部
１５ａ      先端部
１５ａ’    先端部
１６      凹状嵌合部
１６’    凹状嵌合部
１７      横断面略逆Ｌ状の水平部
１７’    横断面略逆Ｌ状の水平部
１８      帯状の金属板または合成樹脂板
１８’    帯状の金属板または合成樹脂板
１９      係止部
１９’    係止部
２０      第１の基端部
２０’    第１の基端部
２０ａ      第２の基端部
２０ｂ      第２の基端部
２１      引っ掛部
２１’    引っ掛部
２２      下端部
２２’    下端部
Ａ        固定部材
Ａ’      外装材の下端当接部材
Ｂ        外装材の上端部の表面押え部材
Ｂ’      外装材の上端部の表面押え部材
【図１】
0004094147.tif 000002
【図２】
0004094147.tif 000003
【図３】
0004094147.tif 000004
【図４】
0004094147.tif 000005
【図５】
0004094147.tif 000006
【図６】
0004094147.tif 000007